(57)【要約】【課題】高周波モジュールに対し樹脂封止を行うと半導体部品や回路基板上の配線に樹脂が接することにより電気的特性が変化した。また、封止樹脂に磁性体を添加するシールド方法では高いシールド性が得られなかった。【解決手段】回路基板上にフェイスダウン実装された半導体部品と、前記半導体部品へ繋がる前記表面配線とが第１の封止材および導電性材で覆われ、前記半導体部品と前記回路基板間に空間が設けられた高周波モジュールであって、前記導電性材は、前記第１の封止材に設けた孔を介して、回路基板上のグランド配線パターンに接続され、前記第２の封止材が、前記第１の封止材と、前記導電性材とを覆う構造である。【選択図】図１
2010258137.tif 000002
【特許請求の範囲】
【請求項１】
グランド配線パターンと配線パターンとを有する回路基板と、
この回路基板上にフェイスダウン実装された半導体部品と、
前記回路基板と、前記半導体部品とを封止する第１および第２の封止材と、
を有し、更に、
前記半導体部品と、前記半導体部品へ繋がる前記表面配線と、が第１の封止材および導電性材で覆われ、
前記半導体部品と前記回路基板間に空間が設けられた高周波モジュールであって、
前記導電性材は、前記第１の封止材に設けた接続孔を介して、前記グランド配線パターンに接続され、
前記第２の封止材が、前記第１の封止材と、前記導電性材と、を覆っている高周波モジュール。
【請求項２】
前記導電性材は、金属粉と熱硬化性樹脂とを有する導電性ペーストからなるものである請求項１に記載の高周波モジュール。
【請求項３】
前記第１の封止材は、前記第２の封止材に比べ、比誘電率および誘電正接が小さい請求項１記載の高周波モジュール。
【請求項４】
前記導電性材は、前記第１の封止材に設けられた複数の接続孔を介して回路基板上のグランド配線パターンに接続されている請求項１記載の高周波モジュール。
【請求項５】
前記第１の封止材と前記導電性材と前記第２の封止材の間に、隣接する部材が含まれてなる中間層を、夫々有している請求項１記載の高周波モジュール。
【請求項６】
回路基板上に半導体部品をフェイスダウン実装する工程と、シート状の未硬化の第１の樹脂に接続孔を設ける工程と、前記シート状の未硬化の第１の樹脂表面に未硬化の導電性樹脂ペーストを塗布および乾燥して未硬化の第１の樹脂と未硬化の導電性樹脂の積層シートを形成する工程と、前記実装された半導体部品を覆って前記積層シートを配置し加熱固定する工程と、前記積層シートが配置された部分および前記回路基板表面を覆うように未硬化の第２の樹脂を配置する工程と、前記第１の樹脂、前記導電性樹脂および第２の樹脂を同時に加熱硬化させる工程を有することを特徴とする、高周波モジュールの製造方法。
【発明の詳細な説明】
【技術分野】
【０００１】
本発明は、高周波用半導体部品および周辺電子部品が回路基板上に実装され、通信等の機能を電子機器に提供する高周波モジュールおよびその製造方法に関するものである。
【背景技術】
【０００２】
携帯電話機に代表される小型の通信機器は、近年高機能化が著しく進展し、テレビチューナーや無線ＬＡＮ等に代表される多数の機能が搭載されている。
【０００３】
これらの機能を携帯電話機等に搭載する手段として、小型の回路基板上に半導体部品および周辺電子部品を高密度に実装し、熱硬化性樹脂で部品実装面を封止した、高周波モジュールが使用される。
【０００４】
この高周波モジュールにおいて、使用する信号周波数がより高周波化される傾向があり、前記のように熱硬化性樹脂で部品実装面を封止することにより、半導体部品と回路基板間の浮遊容量等の電気特性が変化し、高周波モジュールの性能が変化してしまう問題があり、これの対策として図８に示すように、半導体部品１０２の表面に封止樹脂が接しないように、回路基板１０１と半導体部品１０２の回路面間に空隙１０５を設けることが考案されている。
【先行技術文献】
【特許文献】
【０００５】
【特許文献１】特開２００１−６０６４２号公報
【発明の概要】
【発明が解決しようとする課題】
【０００６】
特許文献１が開示する製造方法は、回路基板１０１と、バンプ１０３付の半導体部品１０２の回路面間に空隙１０５を設けるために、予め空隙となる部分に犠牲層を形成し、樹脂封止後、前記犠牲層を除去することが開示されている。
【０００７】
このような犠牲層による空隙を形成する構造では、犠牲層を作成する工程と除去する工程が必須であり、特に除去工程については３００℃以上の高温を加えて昇華させる方法や、液状に溶融させて回路基板に設けた基板孔から流出させる方法が開示されているが、高温に耐えるセラミック基板等の特殊な基板が必要であることや、多数の工程が必要であるなどの課題があった。
【０００８】
また、回路基板上の半導体直下に空間を確保しても、半導体に繋がった表面配線部分に封止樹脂が接することにより、配線周辺の誘電率上昇や誘電損失増大が起こり、電気特性の変化が生じてしまうという課題があった。
【０００９】
また、高周波モジュールは、外部からのノイズを遮断し、さらに、内部で発生した信号が外部に不要に輻射されないように、シールド膜を設けることが必要である。
【００１０】
シールド膜を設ける方法として、一般には金属ケースを被せることや、樹脂封止を行った後、めっき、スパッタリング成膜、導電ペースト塗布等の手段で外装部において、金属膜や導電膜を形成することが行われる。
【００１１】
このシールド膜は、電気抵抗が極力低い材料が好ましく、回路上のグランド配線に接続することで、高いシールド性能が得られる。
【００１２】
一方、１個のモジュール内に複数の半導体部品を搭載した場合、各々の半導体部品相互の干渉を防止するために、シールド膜を各々の半導体部品に分離して設けることが必要な場合があるが、前記のように樹脂封止を行った後、めっき、スパッタリング成膜、導電ペースト塗布等の手段で外装部に導電膜を形成する方法では、各半導体部品を分離してシールドすることは困難であった。
【００１３】
また、特許文献１には、封止材１０４にフェライト等の電磁吸収材粉末を添加して電磁干渉の影響を低減させることが開示されている。ところが、封止材１０４は半導体部品１０２や回路基板１０１の配線に直接に接するため、ショートの恐れがある導電性粉末を添加することはできず、絶縁性物質であるフェライト等しか添加できない。
【００１４】
この場合、電波のシールド特性上、電波を吸収する効果はある程度期待できるが反射する効果は少なく、携帯電話に搭載される無線ＬＡＮモジュールなど、高い電波シールド特性が要求されるモジュールとして十分なシールド性能が得られなかった。
【００１５】
本発明は、前記課題を解決し、高周波用半導体部品を樹脂封止した構造でありながら、半導体に特性変化が生じることのないモジュールを簡易な工程で得ることができ、かつ高い電波シールド特性を少ない工程で付与できる画期的な高周波モジュール構造とその製造方法を提供するものである。
【課題を解決するための手段】
【００１６】
本発明の高周波モジュールは、回路基板上にフェイスダウン実装された半導体部品と、前記回路基板と、前記半導体部品とを封止する第１および第２の樹脂とを有し、更に、前記半導体部品と、前記半導体部品へ繋がる前記表面配線とが第１の封止材および導電性材で覆われ、前記半導体部品と前記回路基板間に空間が設けられた高周波モジュールであって、前記導電性材は、前記第１の封止材に設けた孔を介して、回路基板上のグランド配線パターンに接続され、前記第２の封止材が、前記第１の封止材と、前記導電性材とを覆う構造である。
【００１７】
また、本発明の高周波モジュールの製造方法は、回路基板上に半導体部品をフェイスダウン実装する工程と、シート状の未硬化の第１の樹脂に接続孔を設ける工程と、前記シート状の未硬化の第１の樹脂表面に未硬化の導電性樹脂ペーストを塗布および乾燥して未硬化の第１の樹脂と未硬化の導電性樹脂の積層シートを形成する工程と、前記実装された半導体部品を覆って前記積層シートを配置し加熱固定する工程と、前記積層シートが配置された部分および前記回路基板表面を覆うように未硬化の第２の樹脂を配置する工程と、前記第１の樹脂、前記導電性樹脂および第２の樹脂を同時に加熱硬化させる工程を有するものである。
【発明の効果】
【００１８】
上記手段による効果は次のようになる。
【００１９】
半導体部品およびそれに繋がる表面配線は、第１の封止材とグランド配線に接続された導電性材で覆われ、電気的に十分なシールド効果が得られると共に、半導体部品と回路基板間は空間が設けられているので、封止材の充填による誘電特性の変化がない。
【００２０】
また、第２の封止材が、前記半導体部品を覆っている第１の封止材および導電性材をさらに覆っている構造とすることで、前記第１の封止材および導電性材は外部から保護され、前記第１の封止材および導電性材は機械的な強度を考慮する必要がなく、電気的特性のみを考慮した材質とすることができる。
【００２１】
そのため、第１の封止材は低誘電率および低誘電損失である材料を使用することができ、第１の封止材が表面配線へ接することによる配線部分の電気特性の変化を抑制することができる。
【００２２】
また、前記導電性材は、金属粉を熱硬化性樹脂に大量に添加した材料とすることにより低電気抵抗とすることができ、電気シールド特性が高められる。
【００２３】
前記導電性材は、第１の封止材に設けられた孔を介して回路基板上のグランド配線と接続しているので、孔を任意の位置に設けることで、任意の位置のグランド配線と接続することができる。この構造は次に示すような、複数の半導体部品を搭載した高周波モジュールにおいて有利な効果が得られる。
【００２４】
たとえば、回路基板上に複数の半導体部品を実装したモジュールにおいて、各半導体部品の性能が異なる場合、特性向上のためにグランド配線が分離されている場合が多く、各々の半導体部品のシールド膜を接続するグランド配線も分離されていることが多い。この場合、本発明の構造によると、第１の封止材および導電性材は、各半導体部品毎に分離して配置することができ、かつ、導電性材は、第１の封止材に設けられた孔を介して回路基板上のグランド配線と接続しているので、各半導体部品を覆う導電性材を接続するグランド配線を分離することを容易に実現できる。
【００２５】
また、前記第１の封止材を熱圧着性を有するシート部材とし、前記第１の封止材のシートを熱圧着する温度における封止材の溶融粘度を適度に調整することにより、半導体部品と回路基板間に侵入することなく回路基板上に固定することを容易に実現できる。
【００２６】
また、接続孔を設けた未硬化の第１の封止材のシートと未硬化の導電性材の積層シートを、半導体部品および表面配線を覆って加熱固定した後、未硬化の第２の封止材がそれらを覆って配置された後、一括して加熱硬化されることにより、第１の封止材と導電性材と第２の封止材を構成する分子は相互に熱拡散し、夫々隣接する部材が含まれる中間層を形成する、この結果各部材間に強い接合力が得られ、強固な構造体を得ることができるものである。
【図面の簡単な説明】
【００２７】
【図１】本発明の高周波モジュールの断面図
【図２】本発明の高周波モジュールの断面図
【図３】本発明の高周波モジュールの製造工程を説明する断面図
【図４】本発明の高周波モジュール用積層シートの製造工程を説明する断面図
【図５】積層シートの接続孔形状を説明する平面図
【図６】本発明の高周波モジュールの製造工程を説明する断面図
【図７】本発明の高周波モジュールの製造工程を説明する平面図
【図８】従来の高周波モジュールの断面図
【発明を実施するための形態】
【００２８】
（実施の形態１）
以下、本発明の実施の形態１では、本発明の高周波モジュールについて、図を用いて詳細に説明する。
【００２９】
図１は、本発明の高周波モジュールの断面図であり、回路基板に半導体部品が実装され、封止された状態を示す。半導体部品以外の電子部品は省略した。
【００３０】
回路基板１は、一般にガラスエポキシ製多層配線板を使用するが、前記回路基板１では、内層の銅箔パターンは図示を省略しており、表層に形成された銅箔による配線パターン３やグランド配線パターン１０を図示している。図示していないが、配線パターン３やグランド配線パターン１０の表面にソルダーレジスト（なお図１にソルダーレジストは図示していない）を配置し、必要な部分のみソルダーレジストから銅箔面が露出するように、ソルダーレジスト材によって被覆してもよい。
【００３１】
半導体部品２は、半導体部品２のトランジスタ形成面の接続パッド部（図示せず）に設けたはんだや金製の接続バンプ９と呼ばれる電極で回路基板１上の配線パターン３やグランド配線パターン１０と接続する、いわゆるフリップチップ実装を行い、半導体部品２と回路基板１間に前記接続バンプ９の高さ分の空間７を形成している。
【００３２】
第１の封止材４は、エポキシ樹脂に、中空シリカ粉末、中空ガラス粉末等の低誘電率かつ低誘電損失のフィラーを添加したもので、厚さ０．３ｍｍ程度の層状に半導体部品２を囲むように配置した。
【００３３】
前記第１の封止材４は、回路基板表面のグランド配線パターン１０上で銅箔が露出した部分に対応させて直径０．３ｍｍ程度の接続孔６を設け、第１の封止材４表面に形成した導電性材５が前記接続孔６を貫通し、グランド配線パターン１０と電気的に接続している。前記接続孔６は、１個の半導体部品２に対し多数個設けることにより、グランド配線パターン１０との接続をより確実に、より低抵抗にすることができ、より高周波域（たとえば、８００ＭＨｚ〜１００ＧＨｚ）でのシールド効果を高めることができる。
【００３４】
第２の封止材８は、前記第１の封止材４および導電性材５を覆って、回路基板１の部品実装面全体に形成する。前記第２の封止材は、シリカ粉等を添加したエポキシ樹脂等からなる熱膨張係数が回路基板１と同等かそれより小さく、半導体部品２に近い部材とすることが望ましい。
【００３５】
本高周波モジュール２６の側表面２７は、回路基板１と第２の封止材８の２種類の材料を主体とすることが機械的な強度面および信頼性の点から望ましい。なお第１の封止材４および導電性材５は、誘電特性や電気抵抗特性を重視して選択するため、機械的強度が劣り、熱膨張係数が回路基板と異なることがあるので、前記側表面に露出されることは望ましくない。
【００３６】
前記導電性材５は、銅粉、銀粉、銀コート銅粉、等の金属粉をエポキシ樹脂などの熱硬化性樹脂に添加したもので、金属粉の添加量を多くして（たとえば、４０重量％以上）電気抵抗を低減させたほうがシールド特性を高められるが、添加量が過多になると、硬化後に均一で緻密な層にならない場合がある。ただし、本発明では、最外装は第２の封止材８により形成されるため、導電性材５は外観によらず低電気抵抗を重視して金属粉添加量を決めることができる。
【００３７】
なお導電性材５の厚みは、１μｍ以上１００μｍ以下（さらに望ましくは１０μｍ以上５０μｍ以下）が望ましい。なお１μｍ未満の場合、導電性材５の均一な形成が難しい場合がある。また１００μｍを超えた場合、コストに影響を与える場合がある。
【００３８】
前記第１の封止材４は、回路基板上の配線パターン３に接しても高周波信号の伝播に影響を与えにくいように、低誘電率かつ低誘電損失であることが重要であり、基材となる樹脂材料はエポキシ樹脂系でも誘電損失が低い材料を選択することが必要であり、また、熱硬化樹脂に限らず、ポリプロピレン、ＰＥＴ、ポリスチレン等の熱可塑性樹脂も用いることができる。熱可塑性樹脂の場合、第２の封止材８を熱硬化する際の温度で、過度に軟化して半導体部品下の空間７に流入しないように、高温粘度特性を考慮する必要がある。
【００３９】
図２は、回路基板１上に複数の半導体部品を実装した高周波モジュールの断面図である。たとえば、第１の半導体部品２０は第１の周波数帯（たとえば、８００ＭＨｚ〜１００ＧＨｚ中の所定の周波数）の送受信機能を有し、第２の半導体部品２２は、第１の周波数帯とは異なる第２の周波数帯の送受信機能を有する場合等である。
【００４０】
この場合、各半導体部品のグラウンド配線は、ノイズが回り込まないように、系統を分離した方が特性向上する場合があり、各半導体部品のシールド膜を各々のグランド配線に接続する必要がある。
【００４１】
図２に示すように、第１の半導体部品２０を囲むシールド膜である導電性材５はこの第１の半導体部品２０の第１のグランド配線パターン２１に接続孔６を介して接続され、第２の半導体部品２２を囲むシールド膜である導電性材２４はこの第２の半導体部品２２の第２のグランド配線パターン２３に接続孔２５を介して接続されている。
【００４２】
第２の封止材８は、これら２個の半導体部品を覆い回路基板１表面全体を封止する。よって、複数の半導体部品が個々に第１の封止材および導電性材で囲まれ、各半導体部品間が回路基板のみの厚みしかない場合も、第２の封止材は回路基板全体を覆うため、機械的強度が優れ、曲げに強い構造とすることができる。
【００４３】
（実施の形態２）
次に、実施の形態２では、本発明の高周波モジュールの製造方法の一例について図を用いて説明する。
【００４４】
図３（ａ）〜（ｄ）は本発明の高周波モジュールの工程を順を追って説明した断面図である。
【００４５】
図３（ａ）は、回路基板１上に半導体部品２を接続バンプ９を用いてフリップチップ実装した状態を示す。なお接続バンプ９としては、例えばはんだバンプを使っても良い。半導体部品２のトランジスタ形成面の接続パッド部（図示せず）に、はんだボールの搭載やはんだペーストの印刷とリフローを行うことにより形成できる。回路基板１の配線パターン３およびグランド配線パターン１０上に設けた接続用ランド部２８および２９に対し前記はんだバンプの位置整合を行いつつ半導体部品２を配置し、リフロー工程を通してはんだバンプを溶融させ接合する。
【００４６】
図３（ｂ）は、後述する製法で作成した第１の封止材４および導電性材５とからなる積層シート１８を、前記半導体部品２の実装部に配置すべく、圧着ツール１１を用いて前記積層シートを保持した状態を示す。この後、圧着ツールを下降させ、前記積層シートが回路基板１の表面に接した時に圧着ツール１１を加熱し、前記積層シート１８を回路基板１表面に固定する。圧着ツール１１は、半導体部品２に当らないように、半導体部品２や、半導体部品２の上に設ける積層シート１８より大きな窪み１９を形成したものを用いる。
【００４７】
図３（ｃ）は、前記積層シートの固定が終了した状態を示す。
【００４８】
前記のように、第１の封止材４および導電性材５の積層シートに熱を加えて固定するが、第１の封止材４および導電性材５を完全に熱硬化させたものではなく、次工程にて、ずれが生じない程度に固定すればよい。
【００４９】
また、接続孔６はグランド配線パターン１０上の接続用ランド３０に位置合わせされており、接続孔６に充填された導電性材５は前記接続用ランド３０表面に接している。
【００５０】
次に、図３（ｄ）に示すように、第２の封止材８を、印刷、ディスペンス等の手段で回路基板１の表面全体に供給し、加熱硬化する。
【００５１】
この加熱硬化工程において、前記第１の封止材４および導電性材５も同時に硬化が終了する。これらが一括して同時に加熱硬化されることにより、第１の封止材と導電性材と第２の封止材を構成する分子は相互に熱拡散し、隣接する部材が含まれる中間層を、夫々の層の界面部分に形成する、この結果各部材間に強い接合力が得られ、強固な構造体を得ることができる。
【００５２】
また、１枚の回路基板上に多数個のモジュールを作成し、前記多数個のモジュール全体を第２の封止材で封止後、ダイシングソー等で回路基板および封止材を切断し各モジュールに個片化することも可能であり、大量生産性を向上することができる。
【００５３】
また、図３（ｂ）に示す第１の封止材４および導電性材５の積層シートを、半導体部品２の実装部に配置する工程を、減圧雰囲気で行うことにより、第１の封止材と半導体部品２および回路基板１の間に空気溜りが生じて接着性が低下し、外観上凹凸が生じることを防止できる。
【００５４】
図４（ａ）〜（ｄ）は、前記第１の封止材４および導電性材５の積層シート１８を作成する工程を示す断面図である。
【００５５】
図４（ａ）は、未硬化のエポキシ樹脂に中空シリカを添加混練したものを厚さ０．３ｍｍに成形したシート１２と厚さ０．０５ｍｍのＰＥＴフィルム１３を積層したものである。これは、別に作成したものをプレス接着して得られる。あるいは、ＰＥＴフィルム１３上に未硬化樹脂に溶剤を加えて流動性を与えたものを塗布乾燥してＰＥＴフィルム１３上にシート１２を形成してもよい。なおシート１２の厚みは、１０μｍ以上５００μｍ以下が望ましい。なお１０μｍ以下の場合、取り扱いが難しい場合がある。また５００μｍ以上の場合、低背化に課題が残る場合がある。
【００５６】
次に、図４（ｂ）に示すように、前記樹脂シート１２とＰＥＴフィルム１３を積層したものに、接続孔６を打ち抜き加工やレーザー加工により作成する。
【００５７】
次に、図４（ｃ）に示すように、導電性樹脂ペースト１４を前記樹脂シート１２上に印刷塗布を行い、流動性を消失させるための乾燥を行う。この時、導電性樹脂ペースト１４が前記接続孔６に流れ込んで充填していることが必要である。
【００５８】
次に、図４（ｄ）に示すように、前記ＰＥＴフィルムを除去すると、ＰＥＴフィルムの厚み分だけ導電性樹脂ペースト１４が樹脂シート１２の表面より突出させることができる。
【００５９】
ここで、前記樹脂シート１２上に導電性樹脂ペースト１４を印刷塗布を行う領域は、樹脂シート１２より小さくし、周辺に導電性ペースト１４が存在しない領域１５を設ける方が望ましい。
【００６０】
図３（ｃ）において積層シートの固定が終了したときに、導電性材５が第１の封止材４の外周部よりはみ出て、不要に他の配線とショートすることを防止することができる。
【００６１】
図５（ａ）は、図４（ｄ）に示す積層シート１８を下面から見た平面図であり、接続孔６を複数個設けることが可能である。
【００６２】
また、図５（ｂ）に示すように、接続孔の形状は円形に限らず、数に制限はない。接続孔の目的は、回路基板１上のグランド配線パターン１０と導電性材５からなるシールド部分とを接続させるためであり、接続孔６の位置や大きさ等はグランド配線パターンに対応して設計する。なお図５（ａ）および図５（ｂ）に示すように、積層シート１８の各辺や各角に一つずつ以上設けることで、半導体部品２の各辺や各角におけるシールド効果を高めることができる。半導体部品２に隣接する他の部品へのシールド効果の大小を、積層シート１８に形成する接続孔６の位置や大きさで調整することができる。こうすることで、導電性材５に厚みムラや、局所的に薄い部分が発生しても、こうした影響を低減できる。
【００６３】
例えば、接続孔６と、グランド配線パターン１０と接続形状としては、グランド配線パターン１０が幅の狭い線状で、狭隣接する他の配線がある場合は、幅がグランド配線パターンの１０の幅より小さい長方形として設計することで、他の配線とのショートを防止する。
【００６４】
なお接続孔６の直径は、グランド配線パターン１０のパターン幅より小さくする方が望ましい。また接続孔６の直径は、樹脂シート１２の厚み０.２５倍以上が望ましい。また導電性材５に含まれる金属粉の粒径の５倍以上（望ましくは１０倍以上）が望ましい。
【００６５】
次に、前記図４（ｄ）に示す、導電性樹脂ペースト１４が樹脂シート１２の表面より突出させて形成したことによって得られる効果を、次に示す図６を用いて説明する。
【００６６】
図６（ａ）は、前記図４の工程によって作成した第１の封止材４および導電性材５の積層シートを、圧着ツール１１に保持し、半導体部品２が実装された部分に位置合わせを行った状態を示す断面図である。
【００６７】
次に、図６（ｂ）に示すように、前記積層シートを半導体部品２の背面および回路基板１の表面に接するまで前記圧着ツールを下降させ、前記積層シートを固定する。
【００６８】
この時、前記樹脂シートの表面より突出した導電性樹脂は、図６（ｃ）に示すように、回路基板１上のグランド配線パターン１０の表面に当ると同時に変形して両者の接触面積が拡大する。よって、接続孔６を介したグランド配線パターン１０と導電性材５の接続をより確実なものにすることができる。
【００６９】
また、図５に示す積層シート１８の平面形状は長方形であったが、これに限定するものではない。
【００７０】
長方形の半導体部品２を囲むように積層シート１８を配置する場合、図７（ａ）に示すように角部を切り欠いた形状（以下、切り欠き形状１６とする。なお切り欠き部分の大きさ等は、半導体部品２の厚みに応じて設計すれば良い）１６にすると、半導体部品２の厚みに沿って積層シート１８が折り曲げられるときに、角部に皺が寄ることを防止できる。
【００７１】
図７（ｂ）は回路基板１上に実装された半導体部品２を上方から見た平面図である。半導体部品２に繋がる基板上のグランド配線パターン１０およびその他配線パターン３が複数本引き回されている。
【００７２】
図７（ｃ）は、図７（ａ）に示す角部に切り欠きがある積層シートが、図７（ｂ）に示す半導体部品実装部分上に配置された後の平面図である。この図において、接続孔６は複数あるグランド配線パターン１０に対応して複数個設けられ、正確にグランド配線パターンに位置合わせを行なって配置するが、角部に皺が生じると接続孔の位置がずれる恐れがある。前記角部に切り欠き１６を設けることにより、角部に皺が生じることがなく、接続孔の位置がずれることを防止できるものである。
【符号の説明】
【００７３】
１  回路基板
２  半導体部品
３  配線パターン
４  第１の封止材
５  導電性材
６  接続孔
７  空間
８  第２の封止材
９  接続バンプ
１０  グランド配線パターン
【図１】
2010258137.tif 000003
【図２】
2010258137.tif 000004
【図３】
2010258137.tif 000005
【図４】
2010258137.tif 000006
【図５】
2010258137.tif 000007
【図６】
2010258137.tif 000008
【図７】
2010258137.tif 000009
【図８】
2010258137.tif 000010